(57)【特許請求の範囲】
【請求項１】
第１辺と、前記第１辺に対して交差する方向に延びる一対の第２辺とを有する端板と、
前記第１辺に連続している第１側板と、
前記第２辺に沿ってそれぞれ配置されており、前記第１側板のうち前記第１辺及び前記第２辺に対して交差する方向に延びる第３辺に連続している一対の第２側板と、
前記第２辺にそれぞれ連続しており、前記第２側板の内面に配置されている一対の内フラップとを備え、
前記一対の第２側板にはそれぞれ、前記第２辺側の縁から前記第３辺にかけて第１破断線が設けられており、
前記端板と前記一対の内フラップには、一方の内フラップから他方の内フラップにかけて第２破断線が設けられており、
前記内フラップには、前記第１辺と前記第２辺との交点から前記第２破断線の端部に向けて補助折曲線が設けられている、包装箱。
【請求項２】
前記第１辺に対向する前記端板の第４辺には第３側板が連設されており、
前記第２側板はそれぞれ、前記第１側板及び前記第３側板に連設されている外フラップからなる、請求項１に記載の包装箱。
【請求項３】
前記第１側板には、一方の前記第１破断線の端部から他方の前記第１破断線の端部にかけて延びる分断線が設けられている、請求項１又は２に記載の包装箱。
【請求項４】
前記分断線には、前記第１側板を横断するように形成した第３破断線が含まれている、請求項３に記載の包装箱。
【請求項５】
前記分断線には、前記第１破断線の端部から前記第１辺に対して離れる方向へ延びる一対の第４破断線が含まれている、請求項３又は４に記載の包装箱。
【請求項６】
前記分断線には、一方の前記第４破断線の端部から他方の前記第４破断線の端部にかけて延びる第５破断線が含まれている、請求項５に記載の包装箱。
【請求項７】
前記第２側板には、前記第１破断線上の中間部分に穴部が設けられている、請求項１から６のいずれか１項に記載の包装箱。
【請求項８】
前記穴部は、前記内フラップの先端外側に位置する折曲線と、この折曲線の一端から他端にかけて前記第２辺から離れる方向に延びている第６破断線とで、前記第２側板内に区画されている、請求項７に記載の包装箱。
【請求項９】
前記第３辺に沿って延びる前記第１破断線の部分と前記折曲線とのなす角は９０度未満である、請求項８に記載の包装箱。
【発明の詳細な説明】
【技術分野】
【０００１】
本発明は、包装箱に関する。
【背景技術】
【０００２】
特許文献１には、底板、一対の端板、前板、後板、天蓋板、及び前蓋板を備える包装箱が開示されている。前蓋板に連設した差込片を前板の差込孔から引き抜き、後板に対して天蓋板を後向きに折り曲げることで、包装箱の一部を開封することができる。
【先行技術文献】
【特許文献】
【０００３】
【特許文献１】特開２００１−１８９５０号公報
【発明の概要】
【発明が解決しようとする課題】
【０００４】
しかしながら、特許文献１の包装箱は、前蓋板（正面）と天蓋板しか開封できない。よって、物品を包装箱に収容したまま陳列販売する際には、包装箱を正面以外の横から見ても物品が見えないため、販売促進効果が乏しい。
【０００５】
本発明は、正面以外の横からでも物品を見ることが可能な開封部分を形成できる包装箱を提供することを課題とする。
【課題を解決するための手段】
【０００６】
本発明の包装箱は、第１辺と、前記第１辺に対して交差する方向に延びる一対の第２辺とを有する端板と、前記第１辺に連続している第１側板と、前記第２辺に沿ってそれぞれ配置されており、前記第１側板のうち前記第１辺及び前記第２辺に対して交差する方向に延びる第３辺に連続している一対の第２側板と、前記第２辺にそれぞれ連続しており、前記第２側板の内面に配置されている一対の内フラップとを備えている。前記一対の第２側板にはそれぞれ、前記第２辺側の縁から前記第３辺にかけて第１破断線が設けられており、前記端板と前記一対の内フラップには、一方の内フラップから他方の内フラップにかけて第２破断線が設けられており、前記内フラップには、前記第１辺と前記第２辺との交点から前記第２破断線の端部に向けて補助折曲線が設けられている。
【０００７】
この包装箱によれば、第１破断線に沿って第２側板を破断した後、第２破断線に沿って端板及び内フラップを破断することで、開封部分を簡単に形成できる。そして、この開封部分は、端板（正面）から両側の第２側板に至るため、包装箱を正面以外の横から見ても物品を見ることができる。よって、物品を包装箱に収容したまま陳列販売する場合に、高い販売促進効果を得ることができる。
また、前記内フラップには、前記第１辺と前記第２辺との交点から前記第２破断線の端部に向けて補助折曲線が設けられている。よって、第１破断線に沿って第２側板を破断する際に、操作力が内フラップに伝わることで、補助折曲線に沿って内フラップが折れ曲がる。すると、内フラップの第２破断線にはせん断力が作用するため、補助折曲線を設けていない場合と比較して、内フラップを容易に破断できる。よって、包装箱の開封作業性を確実に向上できる。
【０００８】
前記第１辺に対向する前記端板の第４辺には第３側板が連設されており、前記第２側板はそれぞれ、前記第１側板及び前記第３側板に連設されている外フラップからなることが好ましい。この態様の包装箱は、第１破断線及び第２破断線を除くと、JIS Z 1507-0201で規格されている汎用包装箱であり、簡素な形状であるため、製造コストを低減できる。
【０００９】
前記第１側板には、一方の前記第１破断線の端部から他方の前記第１破断線の端部にかけて延びる分断線が設けられていることが好ましい。この態様によれば、分断線に沿って第１側板を破断することで、第２側板の一部、端板の一部、及び第１側板の少なくとも一部を包装箱から分離し、大きな開封部分を形成できる。よって、物品を包装箱に収容したまま陳列販売する場合に、更に高い販売促進効果を得ることができる。
【００１０】
前記分断線には、前記第１側板を横断するように形成した第３破断線が含まれている。この態様によれば、第３破断線に沿って第１側板を破断すると、第１側板の一部が分離され、第１側板の他の部分は分離されずに残された状態になる。この残された第１側板上には、他の包装箱を載置することができる。よって、この包装箱は、多数積み重ねて物品を大量陳列販売する場合に最適である。
【００１１】
また、前記分断線には、前記第１破断線の端部から前記第１辺に対して離れる方向へ延びる一対の第４破断線が含まれている。この場合、前記分断線には、一方の前記第４破断線の端部から他方の前記第４破断線の端部にかけて延びる第５破断線が含まれていることが好ましい。この態様によれば、第１側板の全部又は大部分を分離できる。そのため、物品を包装箱に収容したまま陳列販売する場合に、確実に高い販売促進効果を得ることができる。
【００１２】
前記第２側板には、前記第１破断線上の中間部分に穴部が設けられていてもよい。この態様によれば、穴部に手を差し込んで第２側板を引っ張ることで、第１破断線に沿って第２側板を簡単に破断できるため、包装箱の開封作業性を向上できる。
【００１３】
この場合、前記穴部は、前記内フラップの先端外側に位置する折曲線と、この折曲線の一端から他端にかけて前記第２辺から離れる方向に延びている第６破断線とで、前記第２側板内に区画されていることが好ましい。また、前記第３辺に沿って延びる前記第１破断線の部分と前記折曲線とのなす角は９０度未満である。この態様によれば、穴部に手を差し込むことで、第２側板と内フラップを一緒に把持できる。この状態で第２側板の開封操作を行うと、第１破断線に沿って第２側板を破断すると同時に、第２破断線に沿って内フラップを破断できるため、開封作業性を更に向上できる。
【発明の効果】
【００１５】
本発明の包装箱では、第１破断線に沿って第２側板を破断し、第２破断線に沿って端板及び内フラップを破断することで、端板以外の横からでも物品が見える開封部分を簡単に形成できる。よって、物品を包装箱に収容したまま陳列販売する場合に、高い販売促進効果を得ることができる。
【図面の簡単な説明】
【００１６】
【図１】本実施形態の包装箱の封緘状態を示す斜視図。
【図２Ａ】図１の包装箱の第１開封状態を示す斜視図。
【図２Ｂ】図１の包装箱の第２開封状態を示す斜視図。
【図３Ａ】図１の包装箱のブランクを示す平面図。
【図３Ｂ】図３Ａの包装箱の要部を拡大した平面図。
【図４】図１の包装箱の組立過程を示す斜視図。
【図５Ａ】図１の包装箱の開封する際の一工程を示す斜視図。
【図５Ｂ】図５Ａの横断面図。
【図５Ｃ】図５Ａの縦断面図。
【図６】図１の包装箱の開封する際の他の一工程を示す斜視図。
【発明を実施するための形態】
【００１７】
以下、本発明の実施の形態を図面に従って説明する。
【００１８】
図１から図２Ｂは、本実施形態に係る包装箱１０を示す。この包装箱１０は直方体状で、第１端板１２Ａ、第２端板１２Ｂ、第１側板１３、一対の第２側板１４Ａ，１４Ｂ、及び第３側板１５を備えている。第１及び第２端板１２Ａ，１２Ｂには、第２側板１４Ａ，１４Ｂの内面に重畳配置される内フラップ２７Ａ〜２８Ｂが連設されている。また、一対の第２側板１４Ａ，１４Ｂには第１破断線３６Ａ，３６Ｂが設けられ、第１端板１２Ａ及び第１内フラップ２７Ａ，２７Ｂには第２破断線４０が設けられ、第１側板１３には分断線４７が設けられている。これらに沿って包装箱１０を破断することで、図１に示す封緘状態の包装箱１０を、図２Ａに示す第１開封状態、又は図２Ｂに示す第２開封状態に開封できるようにしている。
【００１９】
（包装箱の全体構成）
包装箱１０は、紙製の段ボールシートからなり、周知のフレキソグルアによって図３Ａに示す一枚のブランクとして形成される。段ボールシートは、表ライナと裏ライナの間に波状の中しんを配設した周知の構成である。なお、図３Ａ中一点鎖線は、肉厚を圧縮するように裏ライナの方から罫を入れて形成した汎用罫線である。また、ブランク中の実線は、表ライナから裏ライナにかけて刃を入れて形成した切断線である。
【００２０】
図１及び図３Ａに示すように、包装箱１０は、第１破断線３６Ａ，３６Ｂ、第２破断線４０、及び分断線４７を除くと、JIS Z 1507-0201で規格されている汎用包装箱と同一形状である。この包装箱１０は、Ｘ方向に間隔をあけて対向配置された一対の端板１２Ａ，１２Ｂを備えている。また、包装箱１０は、Ｚ方向に間隔をあけて対向配置された第１側板１３、及び第３側板１５を備えている。第１側板１３は端板１２Ａ，１２Ｂの上縁に連続し、第３側板１５は端板１２Ａ，１２Ｂの下縁に連続している。
【００２１】
図３Ａに示すブランクの状態では、右側から第１端板１２Ａ、第１側板１３、第２端板１２Ｂ、及び第３側板１５の順番で、これらが汎用罫線からなる折曲線１８ａ〜１８ｃを介して連続している。図３Ａにおいて左側端に位置する第３側板１５には、折曲線１８ｄを介して固着板１６が連設されている。この固着板１６は、図３Ａにおいて右側端に位置する第１端板１２Ａに接着剤（例えば酢酸ビニルエマルジョン系の接着剤）によって固着されている。
【００２２】
第２側板１４Ａ，１４Ｂは、Ｙ方向に間隔をあけて対向配置され、端板１２Ａ，１２Ｂ、第１側板１３、及び第３側板１５により囲まれた横向きの開口を塞いでいる。本実施形態の第２側板１４Ａ，１４Ｂはそれぞれ、外フラップ２０Ａ〜２１Ｂによって構成されている。第１外フラップ２０Ａ，２０Ｂは、汎用罫線からなる折曲線２４を介して第１側板１３の両端縁に連設されている。第２外フラップ２１Ａ，２１Ｂは、汎用罫線からなる折曲線２５を介して第３側板１５の両端縁に連設されている。折曲線２４，２５から外フラップ２０Ａ〜２１Ｂの先端までの寸法は、第１側板１３及び第３側板１５間の寸法の概ね半分である。
【００２３】
第１端板１２Ａの両側縁には、汎用罫線からなる折曲線３３を介して第１内フラップ２７Ａ，２７Ｂが連設されている。第２端板１２Ｂの両側縁には、汎用罫線からなる折曲線３４を介して第２内フラップ２８Ａ，２８Ｂが連設されている。折曲線３３，３４から内フラップ２７Ａ〜２８Ｂの先端までの寸法は、外フラップ２０Ａ〜２１Ｂの突出寸法と同一である。
【００２４】
この包装箱１０において、Ｙ方向に延びる折曲線１８ａは、第１側板１３が連続している第１端板１２Ａの第１辺である。また、Ｚ方向に延びる一対の折曲線３３，３３は、折曲線１８ａに対して交差する方向に延び、第２側板１４Ａ，１４Ｂが外側に配置される第２辺である。また、Ｘ方向に延びる一対の折曲線２４，２４は、折曲線１８ａ，３３に対して交差する方向に延び、第２側板１４Ａ，１４Ｂ（第１外フラップ２０Ａ，２０Ｂ）が連続している第１側板１３の第３辺である。そして、Ｙ方向に延びる折曲線１８ｄは、折曲線１８ａに対向する第１端板１２Ａの第４辺である。
【００２５】
図４に示すように、物品１を収容する際に包装箱１０は、端板１２Ａ，１２Ｂ、第１側板１３、及び第３側板１５によって四角筒状をなすように、広げられる。そして、端板１２Ａ，１２Ｂに対して下側に位置する内フラップ２７Ｂ，２８Ｂを山折りするとともに、第１及び第３の側板１３，１５に対して下側に位置する外フラップ２０Ｂ，２１Ｂを山折りする。その後、接着剤（例えば熱溶融樹脂）を用い、重畳した内フラップ２７Ｂ，２８Ｂと外フラップ２０Ｂ，２１Ｂとを接着（ホットメルト）する。この状態で包装箱１０には、開放された上側の開口から物品１が収容される。そして、上側に位置する内フラップ２０Ａ，２１Ａと外フラップ２７Ａ，２８Ａを山折りし、これらを互いに接着する。
【００２６】
ここで、物品１は、第１側板１３から第３側板１５にかけて、横向きに寝かせた姿勢で収容されることがある。これは、物品１，１間に隙間を生じさせることなく、包装箱１０に物品１を収容できるためである。汎用包装箱の場合、物品１を取り出す際には外フラップを開封する。しかし、この開封状態で汎用包装箱から物品１を取り出す作業は、物品１，１間に隙間が無いため困難である。また、物品１を汎用包装箱に収容したまま陳列販売する際には、汎用包装箱を横から見ても物品が見えないため、販売促進効果が乏しい。そこで、本実施形態では、フレキソグルアに部分型を配置することで、第１破断線３６Ａ，３６Ｂ、第２破断線４０、及び分断線４７を形成し、包装箱１０に大きな開封部分６８Ａ，６８Ｂを形成できるようにしている。
【００２７】
（開封用の破断線の詳細）
図１及び図３Ｂに示すように、第１破断線３６Ａ，３６Ｂは、第２側板１４Ａ，１４Ｂを構成する第１外フラップ２０Ａ，２０Ｂに形成されている。この第１破断線３６Ａ，３６Ｂは、折曲線３３側に位置する端縁２０ａ，２０ｂから折曲線２４にかけて、概ねＬ字形状に形成されている。本実施形態の第１破断線３６Ａ，３６Ｂは、端縁２０ａ，２０ｂ近傍から折曲線２４近傍にかけて形成されている。但し、第１破断線３６Ａ，３６Ｂは、端縁２０ａ，２０ｂ上から折曲線２４上にかけて形成してもよい。
【００２８】
詳しくは、第１破断線３６Ａ，３６Ｂは、折曲線２４に沿ってＸ方向に延びる第１部分３７と、折曲線３３に沿ってＺ方向に延びる第２部分３８とを備える。第１部分３７は、Ｘ方向に間隔をあけて設けた複数の第１切断線と、各第１切断線の第２端板１２Ｂ側の端から傾斜して延びる第２切断線とを備える片ジッパーからなる。第２部分３８は、第１部分３７における第２端板１２Ｂ側の端部から折曲線２４にかけて、第２端板１２Ｂ側へ湾曲する曲線状の切断線からなる。この第２部分３８の所定位置には、切断していない連続部が形成されている。
【００２９】
引き続いて図１及び図３Ｂを参照すると、第２破断線４０は、一方の第１内フラップ２７Ａから、第１端板１２Ａを経て、他方の第１内フラップ２７Ｂにかけて形成されている。更に詳しく説明すると、第２破断線４０は、第１内フラップ２７Ａ，２７Ｂに形成されている第１部分４１Ａ，４１Ｂと、第１端板１２Ａに形成されている第２部分４２とを備える。
【００３０】
第１部分４１Ａ，４１Ｂは、折曲線３３，３３に対して概ね直交方向に延びるように形成した切断線からなり、第１内フラップ２７Ａ，２７Ｂの端縁２７ａ，２７ｂ近傍から折曲線３３，３３にかけて延びている。但し、第１部分４１Ａ，４１Ｂは、端縁２７ａ上から端縁２７ｂ上にかけて形成してもよい。この場合、第１内フラップ２７Ａ，２７Ｂにはそれぞれ、第１部分４１Ａ，４１Ｂの途中に連続部が形成される。第１部分４１Ａ，４１Ｂは、包装箱１０の全高Ｈの半分よりも上側（第１側板１３側）に位置している。本実施形態の第１部分４１Ａ，４１Ｂは、外側に位置する第１破断線３６Ａ，３６Ｂの第１部分３７に対して、概ね同一高さ又は僅かに下方に位置するように形成されている。
【００３１】
第２部分４２は複数の切断線からなり、第１部分４１Ａの端部から第１部分４１Ｂの端部にかけて、概ねＵ字形状に形成されている。この第２部分４２は、第１破断部４３、一対の第２破断部４４，４４、及び一対の第３破断部４５，４５を備えている。第１破断部４３は、Ｙ方向に間隔をあけて設けた複数の切断線からなり、折曲線１８ａ，１８ｄに対して平行に延びている。この第１破断部４３は、包装箱１０の全高Ｈの半分よりも下側に位置している。第２破断部４４，４４はそれぞれ、概ねＳ字形状をなす複数の切断線からなり、第１破断部４３の端部から第１部分４１Ａ，４１Ｂと同一高さまで、外向きに傾斜して延びている。第３破断部４５，４５はそれぞれ、Ｙ方向に間隔をあけて設けた複数の切断線からなり、第２破断部４４の端部から第１部分４１Ａ，４１Ｂの端部にかけて延びている。
【００３２】
引き続いて図１及び図３Ｂを参照すると、分断線４７は、第１破断線３６Ａの端部から第１破断線３６Ｂの端部にかけて第１側板１３上に設けられており、第１側板１３の一部又は全部を包装箱１０から分離するものである。なお、第１側板１３上とは、第１側板１３の外周縁である折曲線１８ａ，１８ｂ及び折曲線２４，２４上を含む。また、本実施形態の分断線４７の端部は、第１破断線３６Ａ，３６Ｂの端部に対して所定間隔をあけて位置している。更に詳しく説明すると、分断線４７には、第３破断線４９、一対の第４破断線５３，５３、及び第５破断線５６が含まれている。
【００３３】
第３破断線４９は、第１破断線３６Ａの端部から第１破断線３６Ｂの端部にかけて、第１側板１３を横断するように形成されている。この第３破断線４９は、第１側板１３の全長Ｌの半分よりも第１端板１２Ａ側に位置し、折曲線１８ａ，１８ｂに対して平行に延びている。第３破断線４９は、Ｙ方向に間隔をあけて設けた複数の第１切断線５０ａ，５０ｂを備えている。そのうち、１つ置きに位置する第１切断線５０ｂの両端には、第１端板１２Ａに向けて外方に傾斜した第２切断線５１，５１が形成されている。
【００３４】
第４破断線５３，５３は、第１破断線３６Ａ，３６Ｂの端部から折曲線１８ｂにかけて、折曲線１８ａに対して離れる方向へ延びている。この第４破断線５３は、平行に延びる複数の切断線５４を備える斜行ジッパーからなる。各切断線５４は、折曲線２４，２４に対して斜めに交差するように設けられており、一端が第１側板１３上に位置し、他端が第２側板１４Ａ，１４Ｂ上に位置している。この第４破断線５３によれば、折曲線２４，２４に沿って第１側板１３を破断することができる。第５破断線５６は、一方の第４破断線５３の端部から他方の第４破断線５３の端部にかけて設けられている。この第５破断線５６は、折曲線１８ｂに沿って間隔をあけて設けた複数の切断線からなる。
【００３５】
第１破断線３６Ａ，３６Ｂに沿って第１外フラップ２０Ａ，２０Ｂを破断することで、第２側板１４Ａ，１４Ｂの一部を包装箱１０から分離できる。第２破断線４０に沿って第１端板１２Ａ及び第１内フラップ２７Ａ，２７Ｂを破断することで、第１端板１２Ａの一部及び第１内フラップ２７Ａ，２７Ｂの一部を包装箱１０から分離できる。分断線４７に沿って第１側板１３を破断することで、第１側板１３の一部又は全部を包装箱１０から分離できる。これにより、包装箱１０を図２Ａ又は図２Ｂに示す開封状態にすることができる。
【００３６】
（開封補助構造の詳細）
この開封時の作業性を向上するために、第２側板１４Ａ，１４Ｂには第１穴部５８が設けられ、第１端板１２Ａには第２穴部６２が設けられている。また、第１内フラップ２７Ａ，２７Ｂには、補助折曲線６６が設けられている。
【００３７】
第１穴部５８は、第１破断線３６Ａ，３６Ｂ上の中間部分に位置するように、第１外フラップ２０Ａ，２０Ｂに形成されている。詳しくは、第１部分３７と第２部分３８とが交差する部分に位置するように、第１穴部５８が設けられている。この第１穴部５８は切起形状であり、折曲線５９と、折曲線５９の一端から他端にかけて延びる第６破断線６０とで、第１外フラップ２０Ａ，２０Ｂ内に区画されている。
【００３８】
折曲線５９は汎用罫線からなり、内側に位置する第１内フラップ２７Ａ，２７Ｂの端縁２７ａ，２７ｂの外側に位置するように設けられている。また、折曲線５９は、端縁２７ａ，２７ｂに対して交差するように傾斜している。本実施形態では、折曲線５９が延びる方向と第１部分３７が延びる方向とのなす角αは、９０度未満（本実施形態では７０度）に設定されている。
【００３９】
第６破断線６０は、両端が折曲線５９の両端に位置する概ねＣ字形状であり、折曲線３３から離れる方向に延びている。この第６破断線６０は、間隔をあけて設けた複数の切断線からなる。
【００４０】
第２穴部６２は、第１破断部４３の中間部分に位置するように、第１端板１２Ａに形成されている。この第２穴部６２は切起形状であり、折曲線６３と、一対の第７破断線６４と、第１破断部４３とで、第１端板１２Ａ内に区画されている。折曲線６３は汎用罫線からなり、第１破断部４３に対して平行に延びている。第７破断線６４は、間隔をあけて位置する一対の切断線からなり、折曲線６３の端から第１破断部４３に向けて延びている。
【００４１】
補助折曲線６６は汎用罫線からなり、折曲線１８ａと折曲線３３との交点から第２破断線４０の端部に向けて延びている。本実施形態の補助折曲線６６は、第１内フラップ２７Ａ，２７Ｂにおいて、折曲線１８ａ，３３の交点近傍から、第２破断線４０と端縁２７ａ，２７ｂとの交点近傍にかけて形成されている。
【００４２】
なお、第２破断線４０によって第１内フラップ２７Ａ，２７Ｂは、包装箱１０側に残る残存部分３０と、包装箱１０から分離される分離部分３１とに区画されている。また、分離部分３１は、補助折曲線６６によって第１部分３１ａと第２部分３１ｂとに更に区画される。そして、第１外フラップ２０Ａ，２０Ｂと第１内フラップ２７Ａ，２７Ｂとを接着する際には、ブランク状態で第１外フラップ２０Ａ，２０Ｂ側に位置する第１部分３１ａだけが、第１外フラップ２０Ａ，２０Ｂに接着される。
【００４３】
（包装箱の開封作業の一例）
図１に示すように、開封時に包装箱１０は、図４に示す収容時とは異なり、第１側板１３が上方に位置するように配置される。そして、図５Ａから図５Ｃに示すように、第１穴部５８を押圧することで、第６破断線６０に沿って第１外フラップ２０Ａ，２０Ｂを破断する。ついで、第１穴部５８内の切起片を包装箱１０内に折り込むことで、切起片と第１外フラップ２０Ａ，２０Ｂとの間に第１内フラップ２７Ａ，２７Ｂが挟み込まれる。これにより作業者は、第１外フラップ２０Ａ，２０Ｂと第１内フラップ２７Ａ，２７Ｂとを一緒に把持できる。
【００４４】
ついで、第１穴５８の縁を持って第１外フラップ２０Ａ，２０Ｂを外向きに引っ張る。すると、第１破断線３６Ａ，３６Ｂに沿って第１外フラップ２０Ａ，２０Ｂが破断されると同時に、第２破断線４０の第１部分４１Ａ，４１Ｂに沿って第１内フラップ２７Ａ，２７Ｂが破断される。詳しくは、第１外フラップ２０Ａ，２０Ｂを外向きに操作すると、第１内フラップ２７Ａ，２７Ｂが引っ張られて、分離部分３１が補助折曲線６６に沿って折れ曲がる。すると、第１内フラップ２７Ａ，２７Ｂの第２破断線４０にはせん断力が作用する。そのため、補助折曲線６６を設けていない場合と比較して、第１内フラップ２７Ａ，２７Ｂを容易に破断できる。
【００４５】
次に、図６に示すように、第２穴部６２を押圧することで、第７破断線６４に沿って第１端板１２Ａを破断する。ついで、第２穴部６２内の切起片を包装箱１０内に折り込み、第２穴６２の縁を持って第１端板１２Ａを外向きに引っ張る。すると、第１破断部４３、第２破断部４４、及び第３破断部４５の順番で、第２破断線４０の第２部分４２に沿って第１端板１２Ａが破断される。
【００４６】
次に、物品１を収容したまま、複数の包装箱１０を積み重ねて大量陳列販売する場合には、図２Ａに示すように、第３破断線４９に沿って第１側板１３を破断する。これにより、包装箱１０には、第１端板１２Ａの一部、第２側板１４Ａ，１４Ｂの一部、及び第１側板１３の一部を分離した第１開封部分６８Ａが形成される。
【００４７】
この第１開封状態では、全長Ｌの半分以上の第１側板１３が残っている。よって、この第１側板１３部分の上には、他の包装箱１０を安定状態で積み重ねることができる。また、第１開封部分６８Ａは、第１端板１２Ａから両側の第２側板１４Ａ，１４Ｂに至るため、第２側板１４Ａ，１４Ｂ側から包装箱１０を見ても、物品１を見ることができる。よって、物品１を包装箱１０に収容したまま陳列販売する場合に、高い販売促進効果を得ることができる。
【００４８】
また、複数の包装箱１０を積み重ねない場合には、図２Ｂに示すように、第４破断線５３及び第５破断線５６に沿って第１側板１３を破断する。これにより、包装箱１０には、第１端板１２Ａの一部、第２側板１４Ａ，１４Ｂの一部、及び第１側板１３全体を分離した第２開封部分６８Ｂが形成される。
【００４９】
第２開封部分６８Ｂは、第１開封部分６８Ａと同様に、第１端板１２Ａから両側の第２側板１４Ａ，１４Ｂに至るため、第１端板１２Ａ以外の横から包装箱１０を見ても、物品１を見ることができる。しかも、第２開封状態では、第１開封部分６８Ａよりも第２開封部分６８Ｂの開口面積は広いため、更に高い販売促進効果を得ることができる。また、物品１を上方から簡単に取り出すことができるため、消費者、及び商品棚に物品を並べる店員の利便性を向上できる。
【００５０】
また、本実施形態の包装箱１では、収容時と開封時とで姿勢が異なるように使用するため、開封状態では物品１が起立した姿勢になる。よって、物品１の見栄えを向上できるため、この点からも高い販売促進効果を得ることができる。しかも、本実施形態の包装箱１０は、汎用包装箱に第１破断線３６Ａ，３６Ｂ、第２破断線４０、及び分断線４７を設けた簡素な形状であるため、製造コストを低減できる。
【００５１】
なお、本発明の包装箱１０は、前記実施形態の構成に限定されず、種々の変更が可能である。
【００５２】
例えば、第１破断線３６Ａ，３６Ｂ、第２破断線４０、第３破断線４９、第４破断線５３、及び第５破断線５６の形成位置や形状等は、希望に応じて変更が可能である。また、これらは裏ライナ側を切断したライナカットにより構成してもよく、作業者の操作により所定部分を破断可能な構成であればよい。また、第１側板１３には分断線４７を形成しなくてもよい。また、第１穴部５８及び第２穴部６２も形成しなくてもよい。
【００５３】
そして、前記実施形態の包装箱１０は、紙製の段ボールシートを打ち抜いて形成したが、樹脂製の段ボールシートを打ち抜いて形成してもよい。また、包装箱１０は、段ボールシートに限られず、単層の厚紙や樹脂シートにより形成してもよい。
【符号の説明】
【００５４】
１…物品
１０…包装箱
１２Ａ，１２Ｂ…端板
１３…第１側板
１４Ａ，１４Ｂ…第２側板
１５…第３側板
１６…固着板
１８ａ…折曲線（第１辺）
１８ｂ…折曲線
１８ｃ…折曲線
１８ｄ…折曲線（第４辺）
２０Ａ，２０Ｂ…第１外フラップ
２０ａ，２０ｂ…端縁
２１Ａ，２１Ｂ…第２外フラップ
２４…折曲線（第３辺）
２５…折曲線
２７Ａ，２７Ｂ…第１内フラップ
２７ａ，２７ｂ…端縁
２８Ａ，２８Ｂ…第２内フラップ
３０…残存部分
３１…分離部分
３１ａ…第１部分
３１ｂ…第２部分
３３…折曲線（第２辺）
３４…折曲線
３６Ａ，３６Ｂ…第１破断線
３７…第１部分
３８…第２部分
４０…第２破断線
４１Ａ，４１Ｂ…第１部分
４２…第２部分
４３…第１破断部
４４…第２破断部
４５…第３破断部
４７…分断線
４９…第３破断線
５０ａ，５０ｂ…第１切断線
５１…第２切断線
５３…第４破断線
５４…切断線
５６…第５破断線
５８…第１穴部
５９…折曲線
６０…第６破断線
６２…第２穴部
６３…折曲線
６４…第７破断線
６６…補助折曲線
６８Ａ，６８Ｂ…開封部分
【図１】
0006804873.tif 000002
【図２Ａ】
0006804873.tif 000003
【図２Ｂ】
0006804873.tif 000004
【図３Ａ】
0006804873.tif 000005
【図３Ｂ】
0006804873.tif 000006
【図４】
0006804873.tif 000007
【図５Ａ】
0006804873.tif 000008
【図５Ｂ】
0006804873.tif 000009
【図５Ｃ】
0006804873.tif 000010
【図６】
0006804873.tif 000011